(57)【要約】【課題】リストバンドの装着時に、余ったリストバンドを鋏などの切断用具を用いることなく切り離し可能とするリストバンド用クリップを提供することを課題とする。【解決手段】クリップ１０はオスクリップ１２とメスクリップ１４とで構成され、ヒンジ部１６を介して一体的に成形されている。オスクリップ１２にはリストバンドに形成されたセット穴およびバンド穴と同じ間隔をもって一対のボス２０Ａ，２０Ｂが形成されている。リストバンドは、一端に形成されたセット穴に一対のボス２０Ａ、２０Ｂを通して手首に巻き付け、他端に形成されたバンド穴に一対のボス２０Ａ、２０Ｂを通すことで環状に巻き止められる。そして、オスクリップ１２とメスクリップ１４とで挟み込むことにより、オスクリップ１２に形成されたピン穴１８とメスクリップ１４に形成された先端が鋭角となった突起ピンとで、バンド穴形成部の側端部に切り込みを入れ、余ったリストバンドを引っ張ることで鋏などの切断用具を用いることなく、余分なリストバンドを切り離すことができる。【選択図】      図１
2005024677.tif 000002
【特許請求の範囲】
【請求項１】
オスクリップとメスクリップとがヒンジ部で連結され、一端にセット穴が形成されるとともに、他端にバンド穴が一定の間隔をもって複数形成されたリストバンドを環状に巻き止めるリストバンド用クリップにおいて、
前記リストバンドを環状に巻き止めると同時に、該リストバンドのバンド穴形成部の側端部に切込みを入れるカット手段を設けたことを特徴とするリストバンド用クリップ。
【請求項２】
前記カット手段は、
メスクリップの外周部近傍に形成され、先端が鋭角となった突起ピンと、
オスクリップに形成され、前記突起ピンが嵌入されるピン穴とからなることを特徴とする請求項１に記載のリストバンド用クリップ。
【発明の詳細な説明】
【０００１】
【発明の属する技術分野】
本発明はリストバンド用クリップに係り、特に病院で患者の手首や足首などに巻き付けて使用されるリストバンドを環状に巻き止めるリストバンド用クリップに関する。
【０００２】
【従来の技術】
近年、病院では患者の取り違えミスを防止するために、患者の名前や年齢、血液型といった患者固有の識別データを表示したリストバンドを患者の手首や足首に取り付けることが行われている。
【０００３】
一般にリストバンドは帯状に形成されており、これを手首等に巻き付けて両端部をクリップで止めるようにされている。クリップは、オスクリップとメスクリップとで構成されており、オスクリップに形成されたボスをリストバンドの両端部に形成された穴に挿入し、これにメスクリップに形成された止穴を嵌め合わせてリストバンドを環状に巻き止める。
【０００４】
なお、リストバンドには、患者や新生児に取り付けるという理由から、肌に対する密着性が比較的良好なビニールで作製されたもの、患者固有の識別データを印字でき、かつ、安価に作製できるポリエチレンの不織布などの布帛や合成紙で作製されたものが存在するが、いずれの材質とも手で切れるものではなく、切断時には鋏などの切断用具でリストバンドを切り離している。
【０００５】
【特許文献１】
特開２００３−１５５２７号公報
【０００６】
【発明が解決しようとする課題】
しかしながら、従来のクリップは、リストバンドに形成された穴にボスを通して止めるだけの構成のため、大人から新生児、また、手首や足首などの巻き止め条件がさまざまであり、どのような条件にも対応可能なように余裕のある長さのリストバンドであり、クリップで巻き止めた後に生じた余分なリストバンドは邪魔であることから鋏などの切断用具で切断する必要があった。
【０００７】
鋏などの切断用具を用いることは、患者や新生児の肌を傷つける心配もあり、また、鋏などの切断用具を用意することが、切り離し作業を煩わしいものにしてしまうという問題点があった。
【０００８】
本発明は、このような問題に鑑みてなされたもので、手首や足首などに巻き止めた後に生じた余分なリストバンドを鋏などの切断用具を用いることなく切断可能なリストバンド用クリップを提供することを目的とする。
【０００９】
【課題を解決するための手段】
請求項１に係る発明は、前記目的を達成するために、オスクリップとメスクリップとがヒンジ部で連結され、一端にセット穴が形成されるとともに、他端にバンド穴が一定の間隔をもって複数形成されたリストバンドを環状に巻き止めるリストバンド用クリップにおいて、前記リストバンドを環状に巻き止めると同時に、該リストバンドのバンド穴形成部の側端部に切込みを入れるカット手段を設けたことを特徴とするリストバンド用クリップを提供する。
【００１０】
本発明によれば、リストバンドを環状に巻き止めて、余ったバンド穴形成部の側端部に切込みを入れることで、鋏などの切断用具を使用せずに切り離しが可能となる。
【００１１】
また、請求項２に係る発明は、前記目的を達成するために、前記カット手段は、
メスクリップの外周部近傍に形成され、先端が鋭角となった突起ピンと、オスクリップに形成され、前記突起ピンが嵌入されるピン穴とからなることを特徴とする請求項１に記載のリストバンド用クリップを提供する。
【００１２】
本発明によれば、リストバンドのバンド穴形成部の側端部に突起ピンとピン穴とで切込みを入れることで、余ったバンド穴形成部を引くことで容易に切り離すことが可能となる。
【００１３】
【発明の実施の形態】
以下、添付図面に従って本発明に係るリストバンド用クリップの好ましい実施の形態について詳説する。
【００１４】
図１、図２、図３は、それぞれ本発明に係るリストバンド用クリップの一実施形態を示す斜視図、正面図、平面図である。
【００１５】
同図に示すように、本実施の形態のリストバンド用クリップ１０は、オスクリップ１２とメスクリップ１４とで構成されている。オスクリップ１２とメスクリップ１４は、共に合成樹脂材によって扁平な楕円形状に形成されており、ヒンジ部１６で連結されて一体的に成形されている。そして、ヒンジ部１６で折り畳むことにより、オスクリップ１２の上面をメスクリップ１４で閉じるように構成されている。
【００１６】
オスクリップ１２の上面には、リストバンド３０に形成されたセット穴３８とバンド穴４０に通される一対のボス２０Ａ、２０Ｂが突出して形成されている。このボス２０Ａ、２０Ｂは、セット穴３８とバンド穴４０の形成間隔Ｐと同じ間隔で形成されており、その先端部に断面半円形状の爪部２０ａ、２０ｂが形成されている。
【００１７】
一方、メスクリップ１４には、凸部２２が形成されて一対のボス収容穴２４Ａ、２４Ｂが形成されており、オスクリップ１２にメスクリップ１４が嵌合されると、この一対のボス収容穴２４Ａ、２４Ｂにオスクリップ１２に形成された一対のボス２０Ａ、２０Ｂが収容される。
【００１８】
また、メスクリップ１４にはロック用のロックピン２６が形成されており、オスクリップ１２には、このロックピン２６が嵌合されるロック穴２８が形成されている。リストバンド用クリップ１０は、ヒンジ部１６で折り畳むと、メスクリップ１４に形成されたロックピン２６が、オスクリップ１２に形成されたロック穴２８に嵌合されて、折り畳まれた状態で繋ぎ止められる。
【００１９】
このメスクリップ１４に形成されたロックピン２６は、角柱状に形成された軸部２６Ａと、その軸部２６Ａの先端に一体的に成形された断面半円形状の拡径部２６Ｂとで構成されている。
【００２０】
一方、オスクリップ１２に形成されたロック穴２８は矩形の貫通穴として形成されており、その入口部２８ａには、板状に形成された一対の逆止片２８Ａ、２８Ａが内側に張り出して形成されている。この一対の逆止片２８Ａ、２８Ａは、互いに対向するように配置されており、入口部２８ａから出口部に向けて所定の傾斜をもって配置されている。
【００２１】
上述したように、オスクリップ１２はヒンジ部１６で折り畳むと、メスクリップ１４に形成されたロックピン２６がオスクリップ１２に形成されたロック穴２８に嵌入されて、両者が繋ぎ止められる。この際、ロックピン２６はロック穴２８の内側に張り出された逆止片２８Ａ、２８Ａを拡径部２６Ｂで押し広げながら嵌入され、逆止片２８Ａ、２８Ａは拡径部２６Ｂが通過すると、その弾性復元力で縮径し、拡径部２６Ｂの上側に嵌まり込む。この結果、ロックピン２６をロック穴２８から抜こうとすると、拡径部２６Ｂが逆止片２８Ａ、２８Ａに引っ掛かり、抜けが防止される。また、この状態でロックピン２６を無理に引き抜こうとすると、逆止片２８Ａ、２８Ａの先端が拡径部２６Ｂに押されて縮径し、この縮径した逆止片２８Ａ、２８Ａにロックピン２６の軸部２６Ａが両側から締め付けられて、より強固に抜けが防止される。
【００２２】
また、メスクリップ１４には、先端が鋭角となった突起ピン１７が形成されており、オスクリップ１２には、この突起ピン１７が嵌入されるピン穴１８が形成されている。
【００２３】
図４は、本実施の形態のリストバンド用クリップ１０によって巻き止められるリストバンド３０の斜視図である。同図に示すように、リストバンド３０はセット穴形成部３１とバンド穴形成部３３と幅広に形成された表示部３２とからなり、この幅広に形成された表示部３２に所定の情報（ここでは、患者名、科名、病棟名、血液型、バーコード及び二次元コード）が印字できるようにされている。また、セット穴形成部３１に長穴状のセット穴３８、３８が２つ、バンド穴形成部３３に長穴状のバンド穴４０、４０…が複数、一定の間隔Ｐをもって形成されており、このセット穴３８とバンド穴４０をリストバンド用クリップ１０で留めることにより環状に巻き止められる。
【００２４】
また、リストバンド３０は、バンド穴形成部３３の幅Ｄと、セット穴形成部３１の幅Ｗとに形成されており、バンド穴形成部３３の幅Ｄはセット穴形成部３１の幅Ｗよりも広く形成されている。すなわち、図５に示すように、セット穴形成部３１の幅Ｗは、このリストバンド３０のセット穴形成部３１をオスクリップ１２に取り付けたときには、オスクリップ１２に設けたピン穴にかからない程度の寸法とし、バンド穴形成部３３の幅Ｄは、このリストバンド３０のバンド穴形成部３３をオスクリップ１２に取り付けたときには、バンド穴形成部３３の側端部がオスクリップ１２に設けたピン穴に覆いかぶさる寸法に形成されている。
【００２５】
次に、本実施の形態のリストバンド用クリップ１０を用いてリストバンド３０を手首に巻き付ける方法について説明する。
【００２６】
図５に示すように、まず、オスクリップ１２に表示された矢印とリストバンド３０に印刷された矢印の向きを合わせ、リストバンド３０のセット穴形成部３１に形成された２つのセット穴３８、３８にオスクリップ１２に形成された一対のボス２０Ａ，２０Ｂを通す。これにより、リストバンド用クリップ１０がリストバンド３０に取り付けられる。
【００２７】
次に、リストバンド３０を手首に巻き付け、リストバンド３０のバンド穴形成部３３に複数形成されたバンド穴４０、４０、…の２つに一対のボス２０Ａ、２０Ｂを通す。これにより、リストバンド３０が手首に巻きつけられる。
【００２８】
すなわち、リストバンド３０のセット穴形成部３１の上部にバンド穴形成部３３が重なりオスクリップ１２に取り付けられ、オスクリップ１２に設けたピン穴１８はバンド穴形成部３３で覆われている。
【００２９】
次に、リストバンド用クリップ１０を折り畳み、オスクリップ１２の上面をメスクリップ１４で閉じる。ここで、リストバンド用クリップ１０を折り畳むと、オス
クリップ１２に形成されたボス２０Ａ、２０Ｂの先端がメスクリップ１４の凸部２２に形成されたボス収容穴２４Ａ、２４Ｂに収容される。これにより、リストバンド３０がオスクリップ１２とメスクリップ１４とで挟まれる。
【００３０】
また、リストバンド用クリップ１０を折り畳むと、メスクリップ１４に形成されたロックピン２６がオスクリップ１２に形成されたロック穴２８に嵌合する。これにより、リストバンド用クリップ１０が折り畳まれた状態で固定される。
【００３１】
また、リストバンド用クリップ１０を折り畳むことで、オスクリップ１２のピン穴１８を覆ったリストバンド３０のバンド穴形成部３３の側端部は、メスクリップ１４に設けた突起ピン１７の押圧により切込みが生ずる。さらに、リストバンド用クリップ１０で巻き止めた後の余分なバンド穴形成部３３（リストバンド用クリップからはみ出た端部）を持って引くことで、バンド穴形成部３３の側端部に生じた切込み部から引き裂かれ、余分なバンド穴形成部３３を除去することが可能となる。
【００３２】
以上により、リストバンド３０が手首に巻き付けられ、折り畳まれたリストバンド用クリップ１０から延出した長さ調整用として設けたリストバンド３０の余分なバンド穴形成部３３は、鋏などの切断用具を用いることなく除去が可能となる。
【００３３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【００３３】
また、本実施の形態では本発明を病院等で患者識別のために使用されるリストバンドに適用した例で説明したが、本発明の適用は、これに限定されるものではなく、遊園地等のアミューズメント施設で入場チケット等として使用されるリストバンドやスキー場等でリフト券等として使用されるリストバンドなど、あらゆる用途のリストバンドに適用することができる。
【００３４】
【発明の効果】
以上説明したように、本発明によれば、リストバンド用クリップで環状に巻き止められたリストバンドは、オスクリップとメスクリップとに形成された突起ピンとピン穴とによって、バンド穴形成部の側端部に切り込みが入り、鋏などの切断用具を用いることなくリストバンドの余分なバンド穴形成部を手で引っ張ることで、切り離し除去することができ、患者や新生児の安全を確保できると共に、除去作業を簡便化することができるという効果を奏する。
【図面の簡単な説明】
【図１】リストバンド用クリップの一実施形態を示す斜視図
【図２】リストバンド用クリップの一実施形態を示す正面図
【図３】リストバンド用クリップの一実施形態を示す平面図
【図４】リストバンドの構成を示す斜視図
【図５】クリップの取り付け方法を示す平面図
【符号の説明】
１０…リストバンド用クリップ、１２…オスクリップ、１４…メスクリップ、１６…ヒンジ部、１７…突起ピン、１８…ピン穴、２０Ａ、２０Ｂ…ボス、２０ａ、２０ｂ…爪部、２２…凸部、２４Ａ、２４Ｂ…ボス収容穴、２６…ロックピン、２６Ａ…軸部、２６Ｂ…拡径部、２８…ロック穴、２８Ａ…逆止片、３０…リストバンド、３１…セット穴形成部、３２…表示部、３３…バンド穴形成部、３８…セット穴、４０…バンド穴
【図１】
2005024677.tif 000003
【図２】
2005024677.tif 000004
【図３】
2005024677.tif 000005
【図４】
2005024677.tif 000006
【図５】
2005024677.tif 000007